(57)【特許請求の範囲】
【請求項１】
自動変速機の変速位置を示す複数のマークが表示パネルの所定方向に沿って並べられている自動変速機の表示装置において、
前記マークがそれぞれ所定方向で分割された複数のセグメントで形成され、自動変速機が段階式ＡＴ変速の場合は各変速位置に対応したマークのみのセグメントが全体的に点灯し、無段階式ＣＶＴ変速の場合は各マークを形成する全セグメントが減速比に応じてバーグラフ状に点灯することを特徴とする自動変速機の表示装置。
【請求項２】
自動変速機の変速位置を示す複数のマークが表示パネルの所定方向に沿って並べられている自動変速機の表示装置において、
前記表示パネルのマーク以外の背景領域が所定方向に並べられた複数のセグメントで形成され、自動変速機が段階式ＡＴ変速の場合は背景領域のうち各変速位置に対応したマーク周辺のセグメントのみが点灯し、無段階式ＣＶＴ変速の場合は背景領域を形成する全セグメントが減速比に応じてバーグラフ状に点灯することを特徴とする自動変速機の表示装置。
【請求項３】
自動変速機の変速位置を示す複数のマークが表示パネルの所定方向に沿って並べられている自動変速機の表示装置において、
前記表示パネルにおけるマークの側部に複数のセグメントをマークに沿って並べ、自動変速機が段階式ＡＴ変速の場合は複数のセグメントのうち各変速位置に対応したマークに近いセグメントのみが点灯し、無段階式ＣＶＴ変速の場合は全セグメントが減速比に応じてバーグラフ状に点灯することを特徴とする自動変速機の表示装置。
【請求項４】
自動変速機の変速位置を示す複数のマークが表示パネルの所定方向に沿って並べられている自動変速機の表示装置において、
前記マークがマーク形状をした１つのセグメントで形成され、各マークの間に複数のセグメントを所定方向に沿って並べ、自動変速機が段階式ＡＴ変速の場合は各変速位置に対応したマークを形成するセグメントのみが点灯し、無段階式ＣＶＴ変速の場合は各マークも含めた全セグメントが減速比に応じてバーグラフ状に点灯することを特徴とする自動変速機の表示装置。
【請求項５】
請求項１〜４のいずれか１項に記載の自動変速機の表示装置であって、
セグメントの点灯をベースとなる点灯色とは異なる色で知らせることを特徴とする自動変速機の表示装置。
【発明の詳細な説明】
【０００１】
【発明の属する技術分野】
この発明は、段階式ＡＴ変速と無段階式ＣＶＴ変速の両方に使用することができる自動変速機の表示装置に関するものである。
【０００２】
【従来の技術】
自動車の自動変速機には、ギアの歯数を変えることで減速比を段階的に変化させる一般的な段階式ＡＴ変速方式の他に、２個のプーリー間にスチールベルトを掛け、各プーリーの溝幅をさせることにより減速比を無段階的に変化させるＣＶＴ（Continuously Variable Transmission）変速方式がある。段階的ＡＴのギアの位置を運転手に知らせる表示装置としては、例えば特開平３−１５３９５５号乃至１５３９５８号公報がある。
【０００３】
【発明が解決しようとする課題】
しかしながら、このような無段階式ＣＶＴ変速の場合は、プーリーとベルトによる変速機構部分だけは開発されているものの、変速位置を表示する実用的な表示装置が未だ開発されていないため、走行中にどの程度の減速比で走行しているか目で確認することができない。
【０００４】
無段階で変化する減速比を表示する方法として、複数のセグメントからなる表示部を形成し、その表示部をバーグラフ状に点灯させることが考えられるが、このような特殊な構造をした表示装置では、無段階式ＣＶＴ変速方式にしか使用できないため、部品の汎用性の面で劣り、部品点数の増加を招くことになる。
【０００５】
この発明は、このような現状に鑑みてなされたものであり、段階式ＡＴ変速と無段階式ＣＶＴ変速の両方に使用できる自動変速機の表示装置を提供するものである。
【０００６】
【課題を解決するための手段】
請求項１記載の発明は、自動変速機の変速位置を示す複数のマークが表示パネルの所定方向に沿って並べられている自動変速機の表示装置において、前記マークがそれぞれ所定方向で分割された複数のセグメントで形成され、自動変速機が段階式ＡＴ変速の場合は各変速位置に対応したマークのみのセグメントが全体的に点灯し、無段階式ＣＶＴ変速の場合は各マークを形成する全セグメントが減速比に応じてバーグラフ状に点灯するものである。
【０００７】
請求項１記載の発明によれば、自動変速機が段階式ＡＴ変速の場合は、各変速位置に対応したマークのみのセグメントが全体的に点灯するため、運転者はそのマークで示された変速位置であること確認することができる。また、無段階式ＣＶＴ変速の場合は、各マークを形成する全セグメントが減速比に応じてバーグラフ状に点灯するため、減速比がどの程度であるかをマークの間隔以下の小さなレベルで確認することができる。このように、表示装置を段階式ＡＴ変速と無段階式ＣＶＴ変速の両方に使用できるため、部品の汎用性の面で優れ、部品点数の増加を防ぐことができる。
【０００８】
請求項２記載の発明は、自動変速機の変速位置を示す複数のマークが表示パネルの所定方向に沿って並べられている自動変速機の表示装置において、前記表示パネルのマーク以外の背景領域が所定方向に並べられた複数のセグメントで形成され、自動変速機が段階式ＡＴ変速の場合は背景領域のうち各変速位置に対応したマーク周辺のセグメントのみが点灯し、無段階式ＣＶＴ変速の場合は背景領域を形成する全セグメントが減速比に応じてバーグラフ状に点灯するものである。
【０００９】
請求項２記載の発明によれば、自動変速機が段階式ＡＴ変速の場合は、背景領域のうち各変速位置に対応したマーク周辺のセグメントのみが点灯するため、運転者は周辺が点灯したマークで示された変速位置であること確認することができる。また、無段階式ＣＶＴ変速の場合は、背景領域を形成する全セグメントが減速比に応じてバーグラフ状に点灯するため、減速比がどの程度であるかをマークの間隔以下の小さなレベルで確認することができる。
【００１０】
請求項３記載の発明は、自動変速機の変速位置を示す複数のマークが表示パネルの所定方向に沿って並べられている自動変速機の表示装置において、前記表示パネルにおけるマークの側部に複数のセグメントをマークに沿って並べ、自動変速機が段階式ＡＴ変速の場合は複数のセグメントのうち各変速位置に対応したマークに近いセグメントのみが点灯し、無段階式ＣＶＴ変速の場合は全セグメントが減速比に応じてバーグラフ状に点灯するものである。
【００１１】
請求項３記載の発明によれば、自動変速機が段階式ＡＴ変速の場合は、複数のセグメントのうち各変速位置に対応したマークに近いセグメントのみが点灯するため、運転者は点灯したセグメントに近いマークで示された変速位置であること確認することができる。また、無段階式ＣＶＴ変速の場合は、全セグメントが減速比に応じてバーグラフ状に点灯するため、減速比がどの程度であるかをマークの間隔以下の小さなレベルで確認することができる。
【００１２】
請求項４記載の発明は、自動変速機の変速位置を示す複数のマークが表示パネルの所定方向に沿って並べられている自動変速機の表示装置において、前記マークがマーク形状をした１つのセグメントで形成され、各マークの間に複数のセグメントを所定方向に沿って並べ、自動変速機が段階式ＡＴ変速の場合は各変速位置に対応したマークを形成するセグメントのみが点灯し、無段階式ＣＶＴ変速の場合は各マークも含めた全セグメントが減速比に応じてバーグラフ状に点灯するものである。
【００１３】
請求項４記載の発明によれば、自動変速機が段階式ＡＴ変速の場合は、各変速位置に対応したマークを形成するセグメントのみが点灯するため、運転者はそのマークで示された変速位置であること確認することができる。また、無段階式ＣＶＴ変速の場合は、各マークも含めた全セグメントが減速比に応じてバーグラフ状に点灯するため、減速比がどの程度であるかをマークの間隔以下の小さなレベルで確認することができる。
【００１４】
請求項５記載の発明は、セグメントの点灯をベースとなる点灯色とは異なる色で知らせるものである。
【００１５】
請求項５記載の発明によれば、セグメントの点灯をベースとなる点灯色とは異なる色で知らせるため、色の違いにより段階式ＡＴ変速における変則位置、及び無段階式ＣＶＴ変速における減速比を知ることができる。
【００１６】
【発明の効果】
請求項１記載の発明によれば、自動変速機が段階式ＡＴ変速の場合は、各変速位置に対応したマークのみのセグメントが全体的に点灯するため、運転者はそのマークで示された変速位置であること確認することができる。また、無段階式ＣＶＴ変速の場合は、各マークを形成する全セグメントが減速比に応じてバーグラフ状に点灯するため、減速比がどの程度であるかをマークの間隔以下の小さなレベルで確認することができる。このように、表示装置を段階式ＡＴ変速と無段階式ＣＶＴ変速の両方に使用できるため、部品の汎用性の面で優れ、部品点数の増加を防ぐことができる。
【００１７】
請求項２記載の発明によれば、自動変速機が段階式ＡＴ変速の場合は、背景領域のうち各変速位置に対応したマーク周辺のセグメントのみが点灯するため、運転者は周辺が点灯したマークで示された変速位置であること確認することができる。また、無段階式ＣＶＴ変速の場合は、背景領域を形成する全セグメントが減速比に応じてバーグラフ状に点灯するため、減速比がどの程度であるかをマークの間隔以下の小さなレベルで確認することができる。
【００１８】
請求項３記載の発明によれば、自動変速機が段階式ＡＴ変速の場合は、複数のセグメントのうち各変速位置に対応したマークに近いセグメントのみが点灯するため、運転者は点灯したセグメントに近いマークで示された変速位置であること確認することができる。また、無段階式ＣＶＴ変速の場合は、全セグメントが減速比に応じてバーグラフ状に点灯するため、減速比がどの程度であるかをマークの間隔以下の小さなレベルで確認することができる。
【００１９】
請求項４記載の発明によれば、自動変速機が段階式ＡＴ変速の場合は、各変速位置に対応したマークを形成するセグメントのみが点灯するため、運転者はそのマークで示された変速位置であること確認することができる。また、無段階式ＣＶＴ変速の場合は、各マークも含めた全セグメントが減速比に応じてバーグラフ状に点灯するため、減速比がどの程度であるかをマークの間隔以下の小さなレベルで確認することができる。
【００２０】
請求項５記載の発明によれば、セグメントの点灯をベースとなる点灯色とは異なる色で知らせるため、色の違いにより段階式ＡＴ変速における変則位置、及び無段階式ＣＶＴ変速における減速比を知ることができる。
【００２１】
【発明の実施の形態】
以下、この発明の好適な実施形態を図面に基づいて説明する。
【００２２】
図１及び図２（ａ）（ｂ）は、この発明の第１実施形態を示す図である。符号１は表示パネルで、図示せぬシフトレバーの操作方向である前後方向（所定方向）に沿って車体に取付けられている。表示パネル１には、自動変速機の変速位置を示す複数のマーク２が表示パネル１の長手方向に沿って並べられている。自動変速機における「マーク」には、段階式ＡＴ変速の場合のギア比を示す「数字」や、ドライブ（Ｄ）、パーキング（Ｐ）、ニュートラル（Ｎ）、リバース（Ｒ）等の「記号」もあるが、この実施形態に係る表示パネル１では数字部分だけのマーク２を代表して示している。
【００２３】
この表示パネル１には、１速から４速までを表す数字の「１」、「２」、「３」、「４」のマーク２が所定間隔で並べられており、各マーク２は、操作方向に分割された複数のセグメント３により形成されている。このセグメント３は、シフトレバーの位置に応じ、図示せぬ電子制御部からの信号により自由に点灯できる構造になっている。
【００２４】
この表示パネル１は、電子制御部からの信号を変えることにより、段階式ＡＴ変速用と無段階式ＣＶＴ変速の両方に使用可能である。
【００２５】
段階式ＡＴ変速の場合〔図２（ａ）参照〕：
段階式ＡＴ変速用として利用する場合は、シフトレバーによる各変速位置に対応したマーク２内のセグメント３のみが全体的に点灯するようになっている。例えば、図２（ａ）では、ギア比が２速に選択された状態を示している（図２中、黒く塗られた部分が点灯部分、以下同様）。従って、図２の場合、運転者は、明るく点灯したマーク２から変速位置が「２速」であること知ることができる。
【００２６】
無段階式ＣＶＴ変速の場合〔図２（ｂ）参照〕：
段階式ＡＴ変速用として利用する場合は、各マーク２を形成する全セグメント３が減速比に応じてバーグラフ状に点灯するようになっている。例えば、図２（ｂ）の場合では、減速比が約１．５速程度であることが分かる。つまり、減速比がどの程度であるかをマーク２の間隔以下の小さなレベルで確認することができる。
【００２７】
尚、この実施形態では、点灯、不点灯により、「点灯状態」を認識するようにしたが、色の違いにより「点灯状態」を認識できるようにしても良い。例えば、セグメント３の全部をベースとして白色点灯した状態にしておき、該当するセグメント３だけを異なる色（例えば、赤色、青色など）で点灯させれば、前記同様の機能が得られるし、色彩的な見映えも向上する。このような点灯色による点灯状態の認識化は以下の各実施形態にも適用できる。
【００２８】
図３及び図４（ａ）（ｂ）は、この発明の第２実施形態を示す図である。この第２実施形態では、前記第１実施形態とは逆に、表示パネル４のマーク５以外の背景領域６を複数のセグメント７で形成したものである。
【００２９】
従って、自動変速機が段階式ＡＴ変速〔図４（ａ）参照〕の場合は、背景領域６のうち各変速位置に対応したマーク５周辺のセグメント７ａのみが点灯する。また、無段階式ＣＶＴ変速〔図４（ｂ）参照〕の場合は、背景領域６を形成する全セグメント７が減速比に応じてバーグラフ状に点灯するため、減速比がどの程度であるかをマーク５の間隔以下の小さなレベルで確認することができる。
【００３０】
図５及び図６（ａ）（ｂ）は、この発明の第３実施形態を示す図である。この第３実施形態では、表示パネル８におけるマーク９の側部に複数のセグメント１０をマーク９に沿って並べたものである。
【００３１】
従って、自動変速機が段階式ＡＴ変速〔図６（ａ）参照〕の場合は、複数のセグメント１０のうち各変速位置に対応したマーク９に近いセグメント１０ａのみが点灯する。また、無段階式ＣＶＴ変速〔図６（ｂ）参照〕の場合は、全セグメント１０が減速比に応じてバーグラフ状に点灯するため、減速比がどの程度であるかをマーク９の間隔以下の小さなレベルで確認することができる。例えば、図６（ｂ）では、減速比が約２．３速程度であることが分かる。
【００３２】
図７及び図８（ａ）（ｂ）は、この発明の第３実施形態を示す図である。この第４実施形態では、表示パネル１１のマーク１２が、マーク形状をした１つのセグメントで形成され、各マーク１２の間に各々複数（３個）のセグメント１３を並べたものである。
【００３３】
従って、自動変速機が段階式ＡＴ変速〔図８（ａ）参照〕の場合は、各変速位置に対応したマーク１２を形成するセグメントが点灯する。また、無段階式ＣＶＴ変速〔図８（ｂ）参照〕の場合は、各マーク１２も含めた全セグメント１３が減速比に応じてバーグラフ状に点灯するため、減速比がどの程度であるかをマーク１２の間隔以下の小さなレベルで確認することができる。例えば、図８（ｂ）では、減速比が約２．３速程度であることが分かる。
【図面の簡単な説明】
【図１】この発明の第１実施形態に係る表示パネルを示す平面図。
【図２】第１実施形態の表示パネルを段階式ＡＴ変速として利用した場合（ａ）と、無段階式ＣＶＴ変速として利用した場合（ｂ）の状態を、各々示す平面図。
【図３】この発明の第２実施形態に係る表示パネルを示す平面図。
【図４】第２実施形態の表示パネルを段階式ＡＴ変速として利用した場合（ａ）と、無段階式ＣＶＴ変速として利用した場合（ｂ）の状態を、各々示す平面図。
【図５】この発明の第３実施形態に係る表示パネルを示す平面図。
【図６】第３実施形態の表示パネルを段階式ＡＴ変速として利用した場合（ａ）と、無段階式ＣＶＴ変速として利用した場合（ｂ）の状態を、各々示す平面図。
【図７】この発明の第４実施形態に係る表示パネルを示す平面図。
【図８】第４実施形態の表示パネルを段階式ＡＴ変速として利用した場合（ａ）と、無段階式ＣＶＴ変速として利用した場合（ｂ）の状態を、各々示す平面図。
【符号の説明】
１、４、８、１１  表示パネル
２、５、９、１２  マーク
３、７、１０、１３  セグメント
６  背景領域
【図１】
0003646476.tif 000002
【図２】
0003646476.tif 000003
【図３】
0003646476.tif 000004
【図４】
0003646476.tif 000005
【図５】
0003646476.tif 000006
【図６】
0003646476.tif 000007
【図７】
0003646476.tif 000008
【図８】
0003646476.tif 000009